(57)【要約】【課題】電子放出素子、これを具備したバックライトユニット、これを具備した平板ディスプレイ装置及び電子放出素子の駆動方法を提供する。【解決手段】ベース基板と、ベース基板の一面に配置され、所定方向に延長された第１主電極部と、第１主電極部から突出されて延びる所定パターンの第１副電極部とを備える第１電極と、ベース基板の一面上で、第１電極と所定の間隔に離隔されて配置され、所定方向に延長された第２主電極部と、第２主電極部から突出されて延びる所定パターンの第２副電極部とを備える第２電極と、第１電極と第２電極とのうち少なくとも一方の電極に形成された電子放出源とを備える電子放出素子、これを具備したバックライトユニット、これを具備した平板ディスプレイ装置及び電子放出素子の駆動方法である。これにより、効果的にアノード電極により形成される電界を遮断し、低いゲート電圧により電子を持続的で安定的に放出でき、発光均一性と発光効率とを向上させることができる。【選択図】図２
2007184249.tif 000002
【特許請求の範囲】
【請求項１】
ベース基板と、
前記ベース基板の一面に配置され、所定方向に延長された第１主電極部及び前記第１主電極部から突出されて延びる所定パターンの第１副電極部を備える第１電極と、
前記ベース基板の前記一面上で、前記第１電極と所定の間隔に離隔されて配置され、所定方向に延長された第２主電極部及び前記第２主電極部から突出されて延びる所定パターンの第２副電極部を備える第２電極と、
前記第１電極と前記第２電極のうち少なくとも一方の電極に形成された電子放出源と、を備える電子放出素子。
【請求項２】
前記第１電極または前記第２電極のうち少なくとも一方の上側に形成され、前記第１電極と前記第２電極との間に形成された電界に影響を及ぼす外部電界を遮蔽する補助電極をさらに具備することを特徴とする請求項１に記載の電子放出素子。
【請求項３】
前記補助電極は、前記第１主電極部及び前記第２主電極部の上側だけに配置されたことを特徴とする請求項２に記載の電子放出素子。
【請求項４】
前記補助電極は、前記第１電極及び前記第２電極の全体の上側に形成されたことを特徴とする請求項２に記載の電子放出素子。
【請求項５】
前記補助電極は、前記第１電極及び前記第２電極の厚さより厚く形成されていることを特徴とする請求項２に記載の電子放出素子。
【請求項６】
前記補助電極と、前記補助電極が形成された第１電極または第２電極との間には、絶縁体層が配置されていることを特徴とする請求項２に記載の電子放出素子。
【請求項７】
前記第１副電極部及び前記第２副電極部は、互いに実質的に同距離に離隔されて形成されていることを特徴とする請求項１に記載の電子放出素子。
【請求項８】
前記第１副電極部及び前記第２副電極部は、曲率半径が順次縮小する渦巻き形のパターンをなして延びていることを特徴とする請求項１に記載の電子放出素子。
【請求項９】
前記第１副電極部及び前記第２副電極部は、一辺の長さが順次縮小する角張ったパターンをなして延びていることを特徴とする請求項１に記載の電子放出素子。
【請求項１０】
前記第１副電極部及び前記第２副電極部は、隣接した各辺が互いに実質的に直角をなすパターンをなして延びていることを特徴とする請求項９に記載の電子放出素子。
【請求項１１】
前記第１主電極部と前記第２副電極部との間の最短距離は、前記第１副電極部と前記第２副電極部との間の距離と実質的に同じであることを特徴とする請求項１に記載の電子放出素子。
【請求項１２】
前記第２主電極部と前記第１副電極部との間の最短距離は、前記第１副電極部と前記第２副電極部との間の距離と実質的に同じであることを特徴とする請求項１に記載の電子放出素子。
【請求項１３】
前記電子放出源は、前記第１電極または第２電極のうち少なくとも一つに形成されていることを特徴とする請求項１に記載の電子放出素子。
【請求項１４】
前記電子放出源は、前記第１電極または第２電極のうち少なくとも一部分に形成されていることを特徴とする請求項１に記載の電子放出素子。
【請求項１５】
前記電子放出源は、前記第１電極または第２電極で互いに対面する側面に形成されていることを特徴とする請求項１に記載の電子放出素子。
【請求項１６】
前記電子放出源の端部は、前記電子放出源と離隔されて対面する他の電極または他の電子放出源と０．０１μｍないし１．０ｍｍの距離を維持することを特徴とする請求項１に記載の電子放出素子。
【請求項１７】
前記電子放出源の占める面積は、前記第１電極、前記第２電極及び前記電極間の空間が占める面積の０．０００１％ないし５０．０％であることを特徴とする請求項１に記載の電子放出素子。
【請求項１８】
ベース基板と、
前記ベース基板の一面に配置され、所定方向に延長された第１主電極部及び前記第１主電極部から突出されて延びる所定パターンの第１副電極部を備える複数個の第１電極と、
前記ベース基板の前記一面上で、前記第１電極と所定の間隔に離隔されて配置され、所定方向に延長された第２主電極部及び前記第２主電極部から突出されて延びる所定パターンの第２副電極部を備える複数個の第２電極と、
前記第１電極と前記第２電極とのうち少なくとも一方の電極に形成された電子放出源と、
前記ベース基板の前方に配置され、前記第１電極及び前記第２電極間に形成される電界により、前記電子放出源から放出された電子により励起されて可視光線を発生させる蛍光体と、を備えるバックライトユニット。
【請求項１９】
前記第１主電極部と前記第２主電極部は、前記ベース基板上で交互に平行に配置され、
前記第１副電極部は、前記ベース基板上で第１主電極部の一側方向に延長するように形成され、
前記第２副電極部は、前記ベース基板上で、前記第１副電極部に向かう前記第１主電極部の一側方向に延長するように形成されたことを特徴とする請求項１８に記載のバックライトユニット。
【請求項２０】
前記第１主電極部と前記第２主電極部は、前記ベース基板上で交互に平行に配置され、
前記第１副電極部は、前記ベース基板上で、前記第１主電極部の両側方向に延長するように形成され、
前記第２副電極部は、前記ベース基板上で、前記第１主電極部の両側方向に延長するように形成されたことを特徴とする請求項１８に記載のバックライトユニット。
【請求項２１】
前記ベース基板に平行に設置された前面基板と、
前記前面基板の後方に配置され、前記電子放出源から放出された電子を前記蛍光体に向かって加速させるアノード電極とをさらに備えることを特徴とする請求項１８に記載のバックライトユニット。
【請求項２２】
前記第１電極または前記第２電極のうち少なくとも一部分の上側に形成され、前記第１電極と前記第２電極との間に形成された電界に影響を及ぼす外部電界を遮蔽する補助電極をさらに具備することを特徴とする請求項１８に記載のバックライトユニット。
【請求項２３】
前記補助電極は、前記第１主電極部及び前記第２主電極部の上側だけに配置されたことを特徴とする請求項２２に記載のバックライトユニット。
【請求項２４】
前記補助電極は、前記第１電極及び前記第２電極の全体の上側に形成されたことを特徴とする請求項２２に記載のバックライトユニット。
【請求項２５】
前記補助電極は、前記第１電極及び前記第２電極の厚さより厚く形成されていることを特徴とする請求項２２に記載のバックライトユニット。
【請求項２６】
前記補助電極と、前記補助電極が形成された第１電極または第２電極の間には、絶縁体層が配置されたことを特徴とする請求項２２に記載のバックライトユニット。
【請求項２７】
前記第１副電極部及び前記第２副電極部は、互いに実質的に同距離に離隔されて形成されたことを特徴とする請求項１８に記載のバックライトユニット。
【請求項２８】
前記第１副電極部及び前記第２副電極部は、曲率半径が順次縮小する渦巻き形のパターンをなして延びていることを特徴とする請求項１８に記載のバックライトユニット。
【請求項２９】
前記第１副電極部及び前記第２副電極部は、一辺の長さが順次縮小する角張ったパターンをなして延びていることを特徴とする請求項１８に記載のバックライトユニット。
【請求項３０】
前記第１副電極部及び前記第２副電極部は、隣接した各辺が互いに実質的に直角をなすパターンをなして延びていることを特徴とする請求項２９に記載のバックライトユニット。
【請求項３１】
前記第１主電極部と前記第２副電極部との間の最短距離は、前記第１副電極部と前記第２副電極部との間の距離と実質的に同じであることを特徴とする請求項１８に記載のバックライトユニット。
【請求項３２】
前記第２主電極部と前記第１副電極部との間の最短距離は、前記第１副電極部と前記第２副電極部との間の距離と実質的に同じであることを特徴とする請求項１８に記載のバックライトユニット。
【請求項３３】
前記電子放出源は、前記第１電極または第２電極のうち少なくとも一つに形成されていることを特徴とする請求項１８に記載のバックライトユニット。
【請求項３４】
前記電子放出源は、前記第１電極または第２電極のうち少なくとも一部分に形成されていることを特徴とする請求項１８に記載のバックライトユニット。
【請求項３５】
前記電子放出源は、前記第１電極または第２電極で互いに対面する側面に形成されたことを特徴とする請求項１８に記載のバックライトユニット。
【請求項３６】
前記電子放出源の端部は、前記電子放出源と離隔されて対面する他の電極または他の電子放出源と０．０１μｍないし１．０ｍｍの距離を維持することを特徴とする請求項１８に記載のバックライトユニット。
【請求項３７】
前記電子放出源の占める面積は、前記第１電極、前記第２電極及び前記電極間の空間が占める面積の０．０００１％ないし５０．０％であることを特徴とする請求項１８に記載のバックライトユニット。
【請求項３８】
請求項１８から請求項３７のうちいずれか１項に記載のバックライトユニットと、
前記バックライトユニットの前方に配置され、前記バックライトユニットから供給される光を制御して画像を具現する受発光素子を備えるディスプレイパネルと、を具備することを特徴とする平板ディスプレイ装置。
【請求項３９】
前記受発光素子は、液晶であることを特徴とする請求項３８に記載の平板ディスプレイ装置。
【請求項４０】
第１電極と、
前記第１電極と所定の間隔に離隔されて配置された第２電極と、
前記第１電極と前記第２電極とに形成された電子放出源とを備える電子放出素子を駆動する方法であり、
前記第１電極及び前記第２電極に所定時間間隔の間は、（＋）電圧を印加し、所定時間間隔の間は、（−）電圧を印加しつつ、
前記第１電極及び第２電極のうち一方の電極に所定時間（−）電圧を印加するときは、他の一方の電極には、実質的に同じ時間間隔の間（＋）電圧を印加し、
前記第１電極及び第２電極のうち一方の電極に所定時間（＋）電圧を印加するときは、他の一方の電極には、実質的に同じ時間間隔の間（−）電圧を印加し、
前記第１電極及び第２電極に対して実質的に交互に（＋）電圧と（−）電圧とが印加され、第１電極と第２電極とに交互に負極の機能を果たさせる電子放出素子の駆動方法。
【発明の詳細な説明】
【技術分野】
【０００１】
本発明は、電子放出素子、電子放出型バックライトユニット及びこれを具備した平板ディスプレイ装置に係り、さらに詳細には、電子の放出効率が向上し、かつ発光均一性が向上した電子放出素子と、これを利用した電子放出型バックライトユニットと、かかるバックライトユニットを具備した平板ディスプレイ装置と、電子放出素子の駆動方法とに関する。
【背景技術】
【０００２】
一般的に、電子放出素子には、電子放出源として熱陰極を利用する方式と、冷陰極を利用する方式とに分類できる。冷陰極を利用する方式の電子放出素子としては、ＦＥＡ（Ｆｉｅｌｄ  Ｅｍｉｔｔｅｒ  Ａｒｒａｙ）型、ＳＣＥ（Ｓｕｒｆａｃｅ  Ｃｏｎｄｕｃｔｉｏｎ  Ｅｍｉｔｔｅｒ）型、ＭＩＭ（Ｍｅｔａｌ  Ｉｎｓｕｌａｔｏｒ  Ｍｅｔａｌ）型、及びＭＩＳ（Ｍｅｔａｌ  Ｉｎｓｕｌａｔｏｒ  Ｓｅｍｉｃｏｎｄｕｃｔｏｒ）型、ＢＳＥ（Ｂａｌｌｉｓｔｉｃ  ｅｌｅｃｔｒｏｎ  Ｓｕｒｆａｃｅ  Ｅｍｉｔｔｉｎｇ）型などが知られている。本発明は、このうち、ＦＥＡ型の電子放出素子と係るものである。
【０００３】
ＦＥＡ型電子放出素子は、仕事関数が小さいか、またはベータ関数の大きい物質を電子放出源として使用する場合、真空中で電界差により、容易に電子が放出されるという原理を利用したものであり、モリブデン（Ｍｏ）、シリコン（Ｓｉ）などを主な材質とする先端の尖ったチップ（ｔｉｐ）構造物や、グラファイト、ＤＬＣ（Ｄｉａｍｏｎｄ  Ｌｉｋｅ  Ｃａｒｂｏｎ）のような炭素系物質、そして最近、ナノチューブやナノワイヤなどのナノ物質を電子放出源として適用した素子が開発されている。
【０００４】
ＦＥＡ型電子放出素子は、カソード電極とゲート電極との配置形態により、大きくトップゲート型とアンダーゲート型とに大別され、使われる電極の個数により、二極管、三極管または四極管などに分けられる。
【０００５】
図１には、従来のＦＥＡ型電子放出素子の一例の構成を概略的に示す図面が図示されている。
【０００６】
図１に図示されているように、従来のＦＥＡ型電子放出素子１は、ベース基板１０、前記ベース基板１０上にストライプ状に形成されたカソード電極２０、前記カソード電極２０と平行するようにストライプ状に形成されたゲート電極３０、前記カソード電極２０とゲート電極３０との周囲に配置された電子放出源４０，５０を具備する。前記カソード電極２０と前記ゲート電極３０とを覆い包む電子放出源４０，５０の間には、電子放出ギャップＧが形成されている。
【０００７】
前記電子放出素子１の前面には、前面基板９０、前記前面基板９０の下面に形成されたアノード電極８０、前記アノード電極８０上に塗布された蛍光体７０を備える前面パネル２が配置され、前記電子放出素子１と共に面光源や表示素子３を構成できる。
【０００８】
前記電子放出素子１と前記前面パネル２との間には、大気圧より低い真空状態が維持され、前記電子放出素子１と前記前面パネル２との間の真空状態により発生する圧力を支持し、発光空間１０３を確保するために、前記電子放出素子１と前記前面パネル２との間には、スペーサ６０が配置される。
【０００９】
かかる構成を有する従来の電子放出素子で、ゲート電極３０とカソード電極２０との間に形成される電界により、前記電子放出源４０，５０のうちカソード電極２０側に配置された電子放出源４０から電子が放出され、放出された電子は、初期にゲート電極３０に向かって進んでいて、前面パネル２に配置されたアノード電極８０の強い電界に引っ張られてアノード電極８０に向かって動く。
【００１０】
ところで、アノード電極８０とカソード電極２０との間に形成される電界がゲート電極３０とカソード電極２０との間に形成される電界にまで入り込み、アノード電界により電子放出及び電子加速が同時になされるダイオード発光現象が発生する。
【００１１】
一方、蛍光体の発光特性上、蛍光体に入射された１つの電子により発光がなされる所定間隔の時間では、他の電子が入射しても発光に寄与できない。従って、無条件に多くの電子が持続的に蛍光体に入射するといって発光効率に寄与するのではなく、高いアノード電圧により電子放出がなされることは、むしろエネルギー効率面で望ましくない。すなわち、低いゲート電圧による安定的であって効率的な電子放出と同時に、放出された電子による均一な加速がなされなければならないが、強いアノード電圧により電子の放出がなされれば、かかる効率的な電子放出及び発光が不可能になるという問題点を有してしまう。
【００１２】
これに対し、効果的にアノード電極８０とカソード電極２０との間に形成される電界を遮断できる新しい構造の電子放出素子を開発する必要性に迫られている。
【発明の開示】
【発明が解決しようとする課題】
【００１３】
本発明は、前記のような問題点を解決するためのものであり、本発明の目的は、効果的にアノード電極により形成される電界を遮断し、低いゲート電圧により電子を持続的であって安定的に放出でき、発光均一性と発光効率とを向上させることができる新しい構造の電子放出素子を提供することである。また、かかる電子放出素子をバックライトユニットに採用した平板ディスプレイ装置を提供することである。
【課題を解決するための手段】
【００１４】
前記のような本発明の目的は、ベース基板と、前記ベース基板の一面に配置され、所定方向に延長された第１主電極部及び前記第１主電極部から突出されて延びる所定パターンの第１副電極部を備える第１電極と、前記ベース基板の前記一面上で、前記第１電極と所定の間隔に離隔されて配置され、所定方向に延長された第２主電極部及び前記第２主電極部から突出されて延びる所定パターンの第２副電極部を備える第２電極と、前記第１電極と前記第２電極とのうち少なくとも一方の電極に形成された電子放出源と、を備える電子放出素子を提供することにより達成される。
【００１５】
ここで、前記第１電極または前記第２電極のうち、少なくとも一方の上側に形成され、前記第１電極と前記第２電極との間に形成された電界に影響を及ぼす外部電界を遮蔽する補助電極をさらに具備することが望ましい。
【００１６】
ここで、前記補助電極は、前記第１主電極部及び前記第２主電極部の上側だけに配置されるか、または前記第１電極及び前記第２電極の全体の上側に配置されうる。
【００１７】
ここで、前記補助電極は、前記第１電極及び前記第２電極の厚さより厚く、前記補助電極と、前記補助電極が形成された第１電極または第２電極の間には、絶縁体層が配置されていることが望ましい。
【００１８】
ここで、前記第１副電極部及び前記第２副電極部は、互いに実質的に同距離に離隔されて形成されたことが望ましく、曲率半径が順次縮小する渦巻き形のパターンをなして延びたり、または一辺の長さが順次縮小する角張ったパターンをなして延びたり、隣接した各辺が互いに実質的に直角をなすパターンをなして延びていることが可能である。
【００１９】
ここで、前記第１主電極部と前記第２副電極部との間の最短距離は、前記第１副電極部と前記第２副電極部との間の距離と実質的に同一であり、前記第２主電極部と前記第１副電極部との間の最短距離は、前記第１副電極部と前記第２副電極部との間の距離と実質的に同じであることが望ましい。
【００２０】
ここで、前記電子放出源は、前記第１電極または第２電極のうち少なくとも一つ、または少なくとも一部分に形成されていることが望ましい。
【００２１】
ここで、前記電子放出源は、前記第１電極または第２電極で互いに対面する側面に形成され、前記電子放出源の端部は、前記電子放出源と離隔されて対面する他の電極または他の電子放出源と０．０１μｍないし１．０ｍｍの距離を維持することが望ましい。
【００２２】
ここで、前記電子放出源の占める面積は、前記第１電極、前記第２電極及び前記電極間の空間が占める面積の０．０００１％ないし５０．０％であることが望ましい。
【００２３】
また、前記のような本発明の目的は、第１電極と、前記第１電極と所定の間隔に離隔されて配置された第２電極と、前記第１電極と前記第２電極とに形成された電子放出源とを備える電子放出素子を駆動する方法であり、前記第１電極及び前記第２電極に所定時間間隔の間は、（＋）電圧を印加し、所定時間間隔の間は、（−）電圧を印加しつつ、前記第１電極及び第２電極のうち一方の電極に所定時間（−）電圧を印加するときは、他の一方の電極には、実質的に同じ時間間隔の間（＋）電圧を印加し、前記第１電極及び第２電極のうち一方の電極に所定時間（＋）電圧を印加するときは、他の一方の電極には、実質的に同じ時間間隔の間（−）電圧を印加し、前記第１電極及び第２電極に対して実質的に交互に（＋）電圧と（−）電圧とが印加され、第１電極と第２電極とに交互に負極の機能を果たさせる電子放出素子の駆動方法を提供することによって達成される。
【００２４】
また、前記のような本発明の目的は、ベース基板と、前記ベース基板の一面に配置され、所定方向に延長された第１主電極部及び前記第１主電極部から突出されて延びる所定パターンの第１副電極部を備える複数個の第１電極と、前記ベース基板の一面上で、前記第１電極と所定の間隔に離隔されて配置され、所定方向に延長された第２主電極部及び前記第２主電極部から突出されて延びる所定パターンの第２副電極部を備える複数個の第２電極と、前記第１電極と前記第２電極とのうち少なくとも一方の電極に形成された電子放出源と、前記ベース基板の前方に配置され、前記第１電極及び前記第２電極間に形成される電界により、前記電子放出源から放出された電子により励起されて可視光線を発生させる蛍光体とを備えるバックライトユニットを提供することによって達成される。
【００２５】
ここで、前記第１主電極部と前記第２主電極部は、前記ベース基板上で交互に平行に配置され、前記第１副電極部は、前記ベース基板上で第１主電極部の一側方向に延長するように形成され、前記第２副電極部は、前記ベース基板上で、前記第１副電極部に向かう前記第１主電極部の一側方向に延長するように形成されうる。
【００２６】
またはここで、前記第１主電極部と前記第２主電極部は、前記ベース基板上で交互に平行に配置され、前記第１副電極部は、前記ベース基板上で、前記第１主電極部の両側方向に延長するように形成され、前記第２副電極部は、前記ベース基板上で、前記第１主電極部の両側方向に延長するように形成されることもある。
【００２７】
ここで、前記ベース基板に平行に設置された前面基板と、前記前面基板の後方に配置され、前記電子放出源から放出された電子を前記蛍光体に向かって加速させるアノード電極とをさらに備えることが望ましい。
【００２８】
また、前記のような本発明の目的は、前述のバックライトユニットと、前記バックライトユニットの前方に配置され、前記バックライトユニットから供給される光を制御して画像を具現する受発光素子を備えるディスプレイパネルとを具備する平板ディスプレイ装置を提供することによって達成される。ここで、前記受発光素子は、液晶でありうる。
【発明の効果】
【００２９】
本発明によれば、補助電極がアノード電極に向かって長く形成されて配置されることにより、アノード電界が第１電極（カソード電極）と第２電極（ゲート電極）との間の電界に入り込むことを防止することができる。それにより、アノード電極によっては、電子の加速だけがなされ、ゲート電極によって電子放出がなされるように制御しやすくなり、これにより、発光均一性と蛍光体の発光効率との極大化が可能である。
【００３０】
また、電子放出源から電子を放出させる第１電極及び第２電極に所定の形状で形成された副電極部を延長させ、互いに対面する面積を極大化させるように構成すれば、電子放出源が配置される面積を増大させることができ、電子の放出効率を向上させることができる。
【００３１】
一方、本発明による電子放出素子を使用してバックライトユニットを構成する場合には、該バックライトユニットを採用したディスプレイ装置の輝度及び発光効率が向上するという効果を得ることができる。
【発明を実施するための最良の形態】
【００３２】
以下、添付された図面を参照しつつ、本発明による電子放出素子の望ましい実施形態について詳細に説明する。以下で言及される部材のうち、従来技術で言及した部材と実質的に同じ部材については、同じ部材番号を使用する。
【００３３】
＜第１実施形態＞
図２には、本発明の第１実施形態による電子放出素子の概略的の構成を示す図面が図示されており、図３には、図２の電子放出素子１０１の平面図が図示されている。
【００３４】
図２及び図３に図示されているように、本発明の第１実施形態による電子放出素子１０１は、ベース基板１１０、第１電極１２０（カソード電極）、第２電極１３０（ゲート電極）、及び電子放出源１５０を備える。
【００３５】
前記ベース基板１１０は、所定の厚さを有する板状の部材からなり、石英ガラス、少量のＮａのような不純物を含有したガラス、板ガラス、ＳｉＯ２がコーティングされたガラス基板、酸化アルミニウムまたはセラミック基板が使われうる。また、フレキシブルディスプレイ装置を具現する場合には、柔軟な材質が使われることもある。
【００３６】
前記第１電極１２０は、前記ベース基板１１０上に一方向に延長するように配置された第１主電極部１２１と、前記第１主電極部１２１の側面に通電されるように配置され、所定パターンに形成された第１副電極部１２３とを備える。
【００３７】
前記第２電極１３０は、前記ベース基板１１０上で、前記第１電極１２０と対面する位置に配置され、前記第１主電極部１２１と平行に配置された第２主電極部１３１と、前記第２主電極部１３１の側面に通電されるように配置され、所定パターンに形成された第２副電極部１３３とを備える。
【００３８】
前記第１副電極部１２３と前記第２副電極部１３３との形状は、狭い面積で互いに対向する面積を極大化することが可能な形状を有する。例えば、前記第１副電極部１２３及び前記第２副電極部１３３は、図２及び図３に図示されているように、順次長さが短くなりつつ、一方向に所定角度をなしつつ折り曲がる形態に形成されうる。図面には、９０°に折れ曲がる場合だけが図示されているが、所定形状の多角形状を有するように角度は変更され、一定の角度に折れ曲がった形状に限定されるものではない。また、第１副電極部１２３及び前記第２副電極部１３３は、渦巻き形をなしつつ、順次曲率半径が縮小する渦巻き形に形成されることもある。
【００３９】
前記第１副電極部１２３と前記第２副電極部１３３は、互いに実質的に同じ形態に設けられることが望ましく、前記第１副電極部１２３と前記第２副電極部１３３との間の距離は、実質的に同一に形成されることが望ましい。
【００４０】
前記第１電極１２０及び前記第２電極１３０は、通常の導電物質からなりうる。例えば、Ａｌ、Ｔｉ、Ｃｒ、Ｎｉ、Ａｕ、Ａｇ、Ｍｏ、Ｗ、Ｐｔ、Ｃｕ、Ｐｄのような金属またはその合金、Ｐｄ、Ａｇ、ＲｕＯ２、Ｐｄ−Ａｇのような金属またはそれらの金属酸化物と、ガラスとから構成された印刷された導電体、ＩＴＯ、Ｉｎ２Ｏ３またはＳｎＯ２のような透明導電体、または多結晶シリコンのような半導体物質により設けられうる。
【００４１】
前記電子放出源１５０は、前記第１電極１２０と前記第２電極１３０とが互いに対面する側面に配置される。前記電子放出源１５０は、必ずしも前記第１電極１２０と前記第２電極１３０の両方に配置される必要はなく、二電極のうちいずれか一方だけに形成されてもよい。前記電子放出源１５０は、特に、互いに対面する面積が大きい前記第１副電極部１２３及び前記第２副電極部１３３の側面に配置されることが望ましい。また、前記第１主電極部１２１と前記第２副電極部１３３とが対面する面や、前記第２主電極部１３１と前記第１副電極部１２３とが対面する面にも配置されうる。前記電子放出源１５０が配置される位置は、ここに言及したところに限定されるものではない。
【００４２】
前記電子放出源１５０の材料としては、仕事関数が小さく、ベータ関数の大きい炭素系物質やナノ物質が使われうる。炭素系物質としては、カーボンナノチューブ（ＣＮＴ）、グラファイト、ダイアモンド及びダイアモンド状カーボンなどが使われ、ナノ物質としては、ナノチューブ、ナノワイヤ、ナノロッドなどが使われうる。特に、カーボンナノチューブは、電子放出特性にすぐれ、かつ低電圧駆動が容易なので、これを電子放出源として使用する装置の大面積化に有利である。
【００４３】
これまで説明したような構成を有する本発明による第１実施形態の電子放出素子１０１は、第１電極１２０または第２電極１３０のうち、一方の電極に（−）電圧を印加し、他の一方の電極に（＋）電圧を印加し、前記第１電極１２０と前記第２電極１３０との間に形成される電界により、前記電子放出源１５０から電子を放出させられる。
【００４４】
また、これまで説明した電子放出素子１０１は、可視光線を発生させる電子放出表示素子１００に利用できる。電子放出表示素子１００として構成するためには、図２に図示されているように、前記電子放出素子１０１の前面に蛍光体７０をさらに具備せねばならない。前記蛍光体７０は、前記蛍光体７０に向かって電子を加速させるアノード電極８０、前記アノード電極８０及び蛍光体７０を支持する前面基板９０と共に、前面パネル１０２を形成しつつ設置されることが望ましい。
【００４５】
前記前面基板９０は、前記ベース基板１１０と同様に、所定の厚さを有する板状の部材で、前記ベース基板１１０と同じ素材により設けられうる。前記アノード電極８０は、前記第１電極１２０及び第２電極１３０と同様に、通常の導電性物質で設けられる。
【００４６】
前記蛍光体７０は、加速された電子により励起されて可視光線を放生させるＣＬ（Ｃａｔｈｏｄｅ  Ｌｕｍｉｎｅｓｃｅｎｃｅ）型蛍光体で設けられる。前記蛍光体７０としては、例えば、ＳｒＴｉＯ３：Ｐｒ、Ｙ２Ｏ３：Ｅｕ、Ｙ２Ｏ３Ｓ：Ｅｕなどを含む赤色光用蛍光体や、Ｚｎ（Ｇａ，Ａｌ）２Ｏ４：Ｍｎ、Ｙ３（Ａｌ，Ｇａ）５Ｏ１２：Ｔｂ、Ｙ２ＳｉＯ５：Ｔｂ、ＺｎＳ：Ｃｕ，Ａｌなどを含む緑色光用蛍光体や、Ｙ２ＳｉＯ５：Ｃｅ、ＺｎＧａ２Ｏ４、ＺｎＳ：Ａｇ，Ｃｌなどを含む青色光用蛍光体がある。もちろん、ここに言及した蛍光体に限定されるものではない。
【００４７】
前記ベース基板１１０を備える電子放出素子１０１と、前記前面基板９０を備える前面パネル１０２は、互いに所定の間隔を維持しつつ対向されて発光空間１０３を形成し、前記電子放出素子１０１と前面パネル１０２との間の間隔の維持のために、図１に図示されたようなスペーサ６０が配置される。前記スペーサ６０は、絶縁物質から設けられうる。
【００４８】
また、発光空間１０３内部の真空を維持するために、フリット（図示せず）で、電子放出素子１０１と前面パネル１０２とが形成する空間の周囲を密封し、内部の空気などを排気する。
【００４９】
かかる構成を有する電子放出表示素子１００は、次の通り動作する。
【００５０】
電子放出のために、第１電極１２０または第２電極１３０のうち、一方の電極に（−）電圧を印加し、他の一方の電極には、（＋）電圧を印加し、第１電極１２０または第２電極１３０のうち、一方の電極に設置された電子放出源１５０から電子を放出させる。このとき、アノード電極８０に強い（＋）電圧を印加すれば、電子放出源１５０を構成する炭素系物質またはナノ物質から電子が放出され、アノード電極８０に向かって加速される。アノード電極８０に向かって加速された電子は、アノード電極８０側に位置する蛍光体７０を励起させて可視光線を発生させる。
【００５１】
＜第２実施形態＞
図４には、本発明の第２実施形態による電子放出素子の構成を概略的に示す斜視図が図示されており、図５には、図４に図示された電子放出素子の平面図が図示されている。
【００５２】
図４及び図５に図示されているように、本発明の第２実施形態による電子放出素子は、前述の第１実施形態の電子放出素子の第１電極１２０及び第２電極１３０の上側に、補助電極１２２，１３２がさらに設置されている。
【００５３】
前記補助電極１２２，１３２は、前記第１電極１２０及び前記第２電極１３０と別途の絶縁体層により絶縁されるように形成されることもあり、通電されるように設置されることもあり、どちらの場合でもよい。
【００５４】
前記補助電極１２２，１３２は、前記第１電極１２０及び前記第２電極１３０と同様に、導電性物質から形成されるが、必ずしも前記第１電極１２０や第２電極１３０と同じ素材により形成する必要はない。
【００５５】
前記補助電極１２２，１３２は、前記第１電極１２０及び前記第２電極１３０の厚さより厚く形成されることが好ましい。
【００５６】
補助電極１２２，１３２は第１電極１２０と第２電極１３０との間に形成される電界にアノード電極８０による電界が浸犯することを防止する機能を果たすものである。このような機能のために、補助電極１２２，１３２は第１主電極部１２１、第２主電極部１３１、第１副電極部１２３及び第２副電極部１３３よりアノード電極８０に近く配置されることが好ましい。従って、補助電極１２２，１３２の厚さが第１主電極部１２１、第２主電極部１３１、第１副電極部１２３及び第２副電極部１３３の厚さに比べて厚い方が好ましいのである。具体的な厚さは、補助電極１２２，１３２も含めて、第１主電極部１２１、第２主電極部１３１、第１副電極部１２３、及び第２副電極部１３３の厚さが、すべて０．１μｍ〜１．０ｍｍの範囲に属し、その中で補助電極１２２，１３２の厚さが、第１主電極部１２１、第２主電極部１３１、第１副電極部１２３、及び第２副電極部１３３の厚さより厚くなっていることが好ましい。
【００５７】
なお、ここで厚さとは、基板面から第１電極１２０及び第２電極１３０上に補助電極１２２，１３２が積層された積層方向の各層の厚さを言う。
【００５８】
前記補助電極１２２，１３２が設置される場合、次のような効果がある。
【００５９】
本発明による電子放出素子が、図２に図示された電子放出表示素子やバックライトユニットに具現されるためには、前記電子放出素子の前方に蛍光体をさらに具備せねばならない。前記電子放出素子から放出された電子を前記蛍光体７０に向かって加速させるためには、前記蛍光体７０と接するか、またはその付近に、強い（＋）電圧が印加される別途のアノード電極が設置されねばならない。前記アノード電極により形成される電界が前記第１電極１２０及び第２電極１３０間に形成される電界に入り込む場合には、前記第１電極１２０及び前記第２電極１３０間の電界により電子が放出されずに、前記アノード電極と、前記第１電極１２０または前記第２電極１３０との間に形成される電界により、電子が放出されるダイオード放電が発生する。ダイオード放電が発生する場合には、電子放出素子から放出される電子のフローを制御できなくなるという問題点が発生するので、これを避けることが望ましい。このとき、前記補助電極１２２，１３２が設置される場合、前記第１電極１２０及び第２電極１３０間に形成される電界に前記アノード電極の電界が入り込めなくなるので、ダイオード放電を避けることができる。これにより、電子放出素子から放出される電子のフローを制御でき、蛍光体を効率的に励起させて発光効率を向上させることができる。
【００６０】
一方、図４及び図５には、前記補助電極１２２，１３２が前記第１電極１２０及び第２電極１３０の主電極部及び副電極部の全体に形成されると表示されているが、必ずしも全体に形成される必要はなく、次に説明するように、その一部に形成されることもある。
＜第１実施形態及び第２実施形態の変形例＞
図６ないし図１５には、図３に図示された本発明の第１実施形態による電子放出素子と、図５に図示された第２実施形態の電子放出素子との変形例が図示されている。
【００６１】
図６に図示された変形例で、電子放出素子には、図５に図示された第２実施形態とは異なるように、電子放出源１５０が第２電極１３０側だけに形成されうる。実際、電子が放出される位置は、（−）電圧が印加される一側電極に形成された電子放出源１５０であるから、必ずしも両側の電極いずれにも電子放出源１５０が形成される必要はない。従って、図６に図示されているように、一側電極（第２電極１３０）だけに電子放出源１５０が形成されるのが、さらに効率的な構成になりうる。
【００６２】
図７及び図８に図示された変形例のように、補助電極は、電子放出素子の第１電極１２０及び第２電極１３０の第１主電極部１２１及び第２主電極部１３１と、第１副電極部１２３及び第２副電極部１３３のうち一つだけとに形成されうる。そして、電子放出源１５０は、補助電極が形成された副電極部（図７）、または補助電極が設置されていない副電極部（図８）だけに設置されうる。
【００６３】
図９に図示された変形例のように、補助電極は、電子放出素子の第１電極１２０の第１主電極部１２１と、第２電極１３０の第２主電極部１３１とだけに配置されうる。そして、図１０及び図１１に図示された変形例のように、補助電極は、電子放出素子の第１電極１２０の第１副電極部１２３と、第２電極１３０の第２副電極部１３３とだけに配置されうる。そして、電子放出源１５０は、電子放出素子の第１電極１２０及び第２電極１３０のうち、一側の電極の副電極部だけに形成されるか、（図１０では、第２電極１３０）、第１電極１２０及び第２電極１３０いずれの電極の副電極部にも形成されうる（図１１）。
【００６４】
図１２に図示された変形例のように、電子放出源１５０と補助電極とが電子放出素子の第１電極１２０及び第２電極１３０のうち、一側の電極（図面では、第２電極１３０）の副電極部だけに形成されうる。または、図１３に図示された変形例のように、第１電極１２０及び第２電極１３０のうち、一側の電極（図面では、第２電極１３０）には、副電極部に電子放出源１５０と補助電極とが形成され、他側の電極（図面では、第１電極１２０）には、主電極部だけに補助電極が形成されうる。または、図１４に図示された変形例のように、電子放出素子の第１電極１２０及び第２電極１３０いずれの主電極部と、一側の副電極部（図面では、第２電極１３０）とに補助電極が形成され、電子放出源１５０は、第１電極１２０と第２電極１３０とのいずれの電極にも形成されうる。
【００６５】
また、図１５に図示された変形例のように、電子放出素子の第１電極１２０及び第２電極１３０全体に補助電極が形成され、第１電極１２０と第２電極１３０とが対面するあらゆる面に電子放出源１５０が形成される。すなわち、第１電極１２０の第１副電極部１２３と第２電極１３０の第２主電極部１３１とが対面する面１５０ａと、第２電極１３０の第２副電極部１３３と第１電極１２０の第１主電極部１２１とが対面する面１５０ａとにも電子放出源１５０が形成される。第１電極１２０及び第２電極１３０いずれの電極でも、主電極部と副電極部とには、いずれも同じ電圧が印加されるために、このように、対面するあらゆる面に電子放出源１５０を形成する場合には、電流密度を効果的に向上させることができる。もちろん、以上で説明された他の変形例のように、補助電極が形成される位置は変化され、電子放出源１５０は、一側の電極側だけに形成されることもある。また、第１副電極部１２３の端部１５０ｂと、第２副電極部１３３の端部１５０ｂとにも電子放出源１５０が形成されうる。
【００６６】
一方、前述の第１実施形態、第２実施形態及びさまざまな変形例に共通的に適用されうる駆動方法であり、消費電力を減少させて電子放出素子の寿命を延長させることができる駆動方法を図１６を参照して説明する。
【００６７】
例えば、図５、図１１、図１４及び図１５に図示されているように、第１電極及び第２電極にいずれも電子放出源が形成された場合には、どの一方の電極に（＋）電圧を印加し、どの他方の電極に（−）電圧を印加するかは、自由に決定できる。かかる構成を有した場合に、図１６に図示されているように、第１電極及び第２電極に、交互に（＋）電圧と（−）電圧とを印加する方法で駆動できる。かかる方法で駆動すれば、二電極に形成された電子放出源が交互に電子放出機能を行う。これにより、特定電極だけを負極として使用する場合に比べ、電子放出源の寿命を２倍以上延長させることができる。
【００６８】
前述の第１実施形態及び第２実施形態の電子放出素子を備えてさまざまな変形例の電子放出素子で電子放出を可能たらしめるためには、電子放出源１５０の端部は、前記電子放出源１５０と離隔されて対面する他の電極または他の電子放出源と０．０１μｍないし１．０ｍｍの距離を維持することが望ましい。また、前記電子放出源１５０が前記ベース基板１１０上で占める面積は、前記第１電極１２０、前記第２電極１３０及び前記電極間の空間が占める面積の０．０００１％ないし５０．０％であることが有効電子放出源を確保するために望ましい。
＜バックライトユニット及び平板ディスプレイ装置を具現した実施形態＞
図１７には、本発明による電子放出素子を具備したバックライトユニット、及び平板ディスプレイ装置の構成を概略的に示す斜視図が図示されている。
【００６９】
図１７に図示されているように、本発明による平板ディスプレイ装置は、受光型のディスプレイパネルとして、液晶ディスプレイパネル７００と、前記液晶ディスプレイパネル７００に光を供給するバックライトユニット１０００とを備えることができる。前記液晶ディスプレイパネル７００には、画像信号を伝達する軟性印刷回路基板７２０が付着されており、前記液晶ディスプレイパネル７００の後方に配置されるバックライトユニットとの間の間隔を維持するためのスペーサ７３０が配置される。
【００７０】
前記バックライトユニット１０００は、前述の本発明による電子放出素子１０１を備える背面パネル１００１と、前記背面パネル１００１の前方に配置されて蛍光体を具備する前面パネル１０２とを備える。前記バックライトユニット１０００は、連結ケーブル１０４を介して電源を供給され、前記背面パネル１００１に備えられた電子放出素子からその前面に配置された前面パネル１０２に向かって電子を放出させ、前記前面パネル１０２に備わった蛍光体が電子により励起されつつ可視光線Ｖを発生させる。発生した可視光線Ｖは、前記液晶ディスプレイパネル７００に供給され、前記液晶ディスプレイパネル７００では、この可視光線を制御して画像を具現する。
【００７１】
前記前面パネル１０２は、所定の面積を有する板状の部材である前面基板と、前記前面基板に配置された蛍光体と、前記蛍光体に向かって電子を加速させるアノード電極とを備えることが望ましい。
【００７２】
図１８には、図１７に図示されたバックライトユニットの背面パネルの構成を示す部分平面図が図示されており、図１９には、図１８に図示された背面パネルの他の実施形態を示す部分平面図が図示されている。
【００７３】
図１８に図示されているように、背面パネル１００１には、本発明による電子放出素子が連続的に複数個配置されるが、図面の横方向及び縦方向に、電子放出素子が碁盤式に配列される形態でありうる。すなわち、隣接した電子放出素子間に、第１電極１２０及び第２電極１３０の主電極部が連続するように一方向（図面の縦方向）に配置される方式と、１つの電子放出素子の第１主電極部１２１と平行に、図面の横方向に隣接した電子放出素子の第２電極１３０の第２主電極部１３１が配置される方式とが同時に使われ、全体的にベース基板１１０上に碁盤のように電子放出素子を配列させる形態に構成されうる。
【００７４】
一方、図１８のように構成する場合には、図面に図示されていないが、隣接した主電極部が対面する電極面、すなわち図面のＤと表示された間隔を挟んだ面にも電子放出源１５０を形成し、全体的に電子が放出できる有効電子放出源の数を大きく増加させる構成を具現できるという長所がある。
【００７５】
図１９に図示されているように、背面パネル２００１は、１つの主電極部から両側に副電極部が延びるように構成することもある。すなわち、主電極部間の距離は、実質的に同一に維持され、主電極部は、交互に異なる電圧が印加されるように構成される。このように構成する場合には、実質的に電子放出に寄与する副電極をベース基板１１０上にさらに多数形成可能である。図１８と図１９との例を比較してみても、副電極部が互いに対面して配置された部分がすべてで９つが形成されるとき、図面の横方向への長さが図１８よりはるかに縮小されるということが分かる。
【００７６】
図２０には、図１７のＸＩＸ−ＸＩＸ線に沿って切り取った部分断面図であり、図１７に図示された平板ディスプレイ装置の内部構成を概略的に示す図面が図示されている。
【００７７】
図２０を参照し、本発明による平板ディスプレイ装置の一例である液晶ディスプレイ装置の構成と作動原理とについて説明する。以下、第１電極、第２電極、スペーサのような用語は、液晶の構成を説明しつつも同じ用語で使われるが、バックライトユニットに属する部材であるか、液晶に属する部材であるかは、その部材番号によって明確に区別される。
【００７８】
図２０に図示された電子放出素子１０１は、前述の本発明による電子放出素子のうち、いずれか一つでありうる。図２０に図示されているように、前記バックライトユニット１０００は、電子放出素子１０１と前面パネル１０２とが所定の間隔をなしつつ結合されてなされる。前記電子放出素子１０１及び前面パネル１０２の構成は、前述の本発明による電子放出素子及びバックライトユニットの構成について説明しつつ言及した内容と同一なので、ここでは説明を省略する。そして、前記電子放出素子１０１に設置された第１電極１２０と第２電極１３０とに形成された電界により電子が放出され、前記前面パネル１０２に設置されたアノード電極８０により形成される電界により、放出された電子が加速され、蛍光体７０を励起させつつ可視光線Ｖが発生する。発生した可視光線Ｖは、前面の液晶ディスプレイパネル７００に向かって進む。
【００７９】
一方、前記液晶ディスプレイパネル７００は、第２基板５０５を具備し、前記第２基板５０５上には、バッファ層５１０が形成され、前記バッファ層５１０上には、半導体層５８０が所定のパターンに形成される。前記半導体層５８０上には、第１絶縁層５２０が形成され、前記第１絶縁層５２０上には、ゲート電極５９０が所定のパターンに形成され、前記ゲート電極５９０上には、第２絶縁層５３０が形成される。前記第２絶縁層５３０が形成された後には、ドライエッチングのような工程により、前記第１絶縁層５２０と第２絶縁層５３０とがエッチングされ、前記半導体層５８０の一部が露出され、前記露出された部分を備える所定の領域に、ソース電極５７０とドレイン電極６１０とが形成される。前記ソース電極５７０及びドレイン電極６１０が形成された後、第３絶縁層５４０が形成され、前記第３絶縁層５４０上に平坦化層５５０が形成される。前記平坦化層５５０上には、所定のパターンに第１電極６２０が形成され、前記第３絶縁層５４０と前記平坦化層５５０との一部がエッチングされ、前記ドレイン電極６１０と前記第１電極６２０との導電通路が形成される。透明な第２基板６８０は、前記第２基板５０５と別途に製造され、前記第２基板の下面６８０ａには、カラーフィルタ層６７０が形成される。前記カラーフィルタ層６７０の下面６７０ａには、第２電極６６０が形成され、前記第１電極６２０と第２電極６６０との互いに対向する面には、液晶層６４０に配向する第１配向層６３０と第２配向層６５０とが形成される。前記第２基板５０５の下面には、第１偏光層５００が、前記第２基板の上面６８０ｂには、第２偏光層６９０が形成され、前記第２偏光層６９０の上面６９０ａには、保護フィルム６９５が形成される。前記カラーフィルタ層６７０と前記平坦化層５５０との間には、前記液晶層６４０を区画するスペーサ５６０が形成される。
【００８０】
前記液晶ディスプレイパネル７００の作動原理について簡単に説明すれば、前記ゲート電極５９０、ソース電極５７０、ドレイン電極６１０により制御された外部信号により、前記第１電極６２０と第２電極６６０との間に電位差が形成され、前記電位差により、前記液晶層６４０の配列が決定され、前記液晶層６４０の配列により、前記バックライトユニット１０００から供給される可視光線Ｖが遮蔽または通過される。前記通過された光がカラーフィルタ層６７０を通過しつつ色を帯びて画像を具現する。
【００８１】
図２０には、液晶ディスプレイパネル（特に、ＴＦＴ−ＬＣＤ）を例示したが、本発明の平板ディスプレイ装置を構成するディスプレイパネルは、これに限定されるものではなく、また、前記受発光素子としては、前記のような液晶ディスプレイパネル以外にも、多様な受光型ディスプレイパネルが適用可能である。
【００８２】
前記のような電子放出素子をバックライトユニットとして具備した平板ディスプレイ装置は、そのバックライトユニットの輝度と寿命とが向上することにより、前記ディスプレイ装置の画像の輝度向上はいうまでもなく、寿命延長の効果をももたらす。
【００８３】
本発明は、図面に図示された実施形態を参考に説明されたが、それらは、例示的なものにすぎず、本技術分野の当業者ならば、それらから多様な変形及び均等な他の実施形態が可能であるという点を理解することができるであろう。従って、本発明の真の技術的保護範囲は、特許請求の範囲の技術的思想によってのみ決まるものである。
【産業上の利用可能性】
【００８４】
本発明の電子放出素子、これを具備したバックライトユニット、これを具備した平板ディスプレイ装置及び電子放出素子の駆動方法は、例えば、ディスプレイ関連の技術分野に効果的に適用可能である。
【図面の簡単な説明】
【００８５】
【図１】従来の電子放出素子の構成を概略的に示す断面図である。
【図２】本発明の第１実施形態による電子放出素子の構成を概略的に示す斜視図である。
【図３】図２に図示された電子放出素子の平面図である。
【図４】本発明の第２実施形態による電子放出素子の構成を概略的に示す斜視図である。
【図５】図４に図示された電子放出素子の平面図である。
【図６】本発明による電子放出素子の変形例の構成を概略的に示す図面である。
【図７】本発明による電子放出素子の変形例の構成を概略的に示す図面である。
【図８】本発明による電子放出素子の変形例の構成を概略的に示す図面である。
【図９】本発明による電子放出素子の変形例の構成を概略的に示す図面である。
【図１０】本発明による電子放出素子の変形例の構成を概略的に示す図面である。
【図１１】本発明による電子放出素子の変形例の構成を概略的に示す図面である。
【図１２】本発明による電子放出素子の変形例の構成を概略的に示す図面である。
【図１３】本発明による電子放出素子の変形例の構成を概略的に示す図面である。
【図１４】本発明による電子放出素子の変形例の構成を概略的に示す図面である。
【図１５】本発明による電子放出素子の変形例の構成を概略的に示す図面である。
【図１６】本発明による電子放出素子で、電子放出源の寿命を延長させることができる駆動方法の一例を示す駆動波形である。
【図１７】本発明による電子放出素子を具備するバックライトユニット、及び平板ディスプレイ装置の構成を概略的に示す分離斜視図である。
【図１８】図１７に図示されたバックライトユニットを構成する背面パネルの部分平面図である。
【図１９】図１８に図示された背面パネルの他の実施形態を示す部分平面図である。
【図２０】図１７のＸＩＸ−ＸＩＸ線に沿って切り取った部分断面図である。
【符号の説明】
【００８６】
１，１０１，２０１…電子放出素子、
２，１０２…前面パネル、
３…電子放出発光素子、
１０，１１０…ベース基板、
２０…カソード電極、
３０，５９０…ゲート電極、
４０，５０，１５０…電子放出源、
６０，５６０，７３０…スペーサ、
７０…蛍光体、
８０…アノード電極、
９０…前面基板、
１００…電子放出表示素子、
１０３…発光空間、
１０４…連結ケーブル、
１２０，６２０…第１電極、
１２１…第１主電極部、
１２２，１３２…補助電極、
１２３…第１副電極部、
１３０，６６０…第２電極、
１３１…第２主電極部、
１３３…第２副電極部、
１５０…電子放出源、
１５０ａ…第１副電極部と第２副電極部とが対面する面、
１５０ｂ…第１副電極部と第２副電極部との端、
５００…第１偏光層、
５０５…第２基板、
５１０…バッファ層、
５２０…第１絶縁層、
５３０…第２絶縁層、
５４０…第３絶縁層、
５５０…平坦化層、
５７０…ソース電極、
５８０…半導体層、
６１０…ドレイン電極、
６３０…第１配向層、
６４０…液晶層、
６５０…第２配向層、
６７０…フィルタ層、
６７０ａ…フィルタ層の下面、
６８０…第２基板、
６８０ａ…第２基板の下面、
６８０ｂ…第２基板の上面、
６９０…第２偏光層、
６９０ａ…第２偏光層の上面、
６９５…保護フィルム、
７００…液晶ディスプレイパネル、
７２０…軟性印刷回路基板、
１０００…バックライトユニット、
１００１，２００１…背面パネル、
Ｖ…可視光線。
【図１】
2007184249.tif 000003
【図２】
2007184249.tif 000004
【図３】
2007184249.tif 000005
【図４】
2007184249.tif 000006
【図５】
2007184249.tif 000007
【図６】
2007184249.tif 000008
【図７】
2007184249.tif 000009
【図８】
2007184249.tif 000010
【図９】
2007184249.tif 000011
【図１０】
2007184249.tif 000012
【図１１】
2007184249.tif 000013
【図１２】
2007184249.tif 000014
【図１３】
2007184249.tif 000015
【図１４】
2007184249.tif 000016
【図１５】
2007184249.tif 000017
【図１６】
2007184249.tif 000018
【図１７】
2007184249.tif 000019
【図１８】
2007184249.tif 000020
【図１９】
2007184249.tif 000021
【図２０】
2007184249.tif 000022